(57)【要約】【課題】一人の作業員でロープの検査を行うことができるエレベーターのロープ検査装置を提供する。【解決手段】エレベーターのロープ検査装置は、エレベーターのかごを支持するロープの一部を案内する案内部と、前記案内部に連結され、前記案内部により案内されているロープを磁化し、当該ロープの漏洩磁束を検出する磁化部と、前記磁化部に連結され、操作された際に前記エレベーターの制御装置に対して前記エレベーターのかごの運転信号を送信する操作部と、を備えた。【選択図】図２
2019001568.tif 000002
【特許請求の範囲】
【請求項１】
エレベーターのかごを支持するロープの一部を案内する案内部と、
前記案内部に連結され、前記案内部により案内されているロープを磁化し、当該ロープの漏洩磁束を検出する磁化部と、
前記磁化部に連結され、操作された際に前記エレベーターの制御装置に対して前記エレベーターのかごの運転信号を送信する操作部と、
を備えたエレベーターのロープ検査装置。
【請求項２】
前記案内部と前記磁化部との外側に設けられ、前記磁化部からの磁束が前記案内部に案内されたロープに隣接したロープの側に漏洩することを抑制する磁束漏洩抑制部、
を備えた請求項１に記載のエレベーターのロープ検査装置。
【請求項３】
エレベーターのかごを支持する複数のロープの一部をそれぞれ案内する案内部と、
前記案内部に連結され、前記案内部により案内されている複数のロープをそれぞれ磁化し、当該複数のロープのそれぞれの漏洩磁束を検出する磁化部と、
前記磁化部に設けられ、操作された際に前記エレベーターの制御装置に対して前記エレベーターのかごの運転信号を送信する操作部と、
を備えたエレベーターのロープ検査装置。
【請求項４】
前記磁化部に対して前記案内部とは反対側に設けられた把持部、
を備え、
前記操作部は、
前記磁化部の上部と把持部の上部とを連結した本体と、
前記本体の上面に設けられた波動スイッチと、
前記本体の上面に設けられた上昇ボタンと、
前記本体の上面に設けられた下降ボタンと、
前記波動スイッチが一側に倒されている状態において、前記上昇ボタンが押された際に、前記制御装置に対して前記かごが上昇するように運転信号を送信し、前記波動スイッチが一側に倒されている状態において、前記下降ボタンが押された際に、前記制御装置に対して前記かごが下降するように運転信号を送信する回路と、
を備えた請求項１から請求項３のいずれか１項に記載のエレベーターのロープ検査装置。
【請求項５】
前記磁化部に対して前記案内部とは反対側に設けられた把持部、
を備え、
前記操作部は、
前記磁化部の上部と把持部と上部とを連結した本体と、
前記本体の上面に設けられた第１波動スイッチと、
前記本体の上面に設けられた第２波動スイッチと、
前記本体の下面に設けられたトリガと、
前記第１波動スイッチが一側に倒されており、前記第２波動スイッチが一側に倒されている状態において、前記トリガが手前側に引かれた際に、前記制御装置に対して前記かごが上昇するように運転信号を送信し、前記第１波動スイッチが一側に倒されており、前記第２波動スイッチが他側に倒されている状態において、前記トリガが手前側に引かれた際に、前記制御装置に対して前記かごが下降するように運転信号を送信する回路と、
を備えた請求項１から請求項３のいずれか１項に記載のエレベーターのロープ検査装置。
【発明の詳細な説明】
【技術分野】
【０００１】
この発明は、エレベーターのロープ検査装置に関する。
【背景技術】
【０００２】
特許文献１は、エレベーターのロープ検査装置を開示する。当該ロープ検査装置によれば、エレベーターのロープの破断を検出し得る。
【先行技術文献】
【特許文献】
【０００３】
【特許文献１】特開２００１−６３９３８号公報
【発明の概要】
【発明が解決しようとする課題】
【０００４】
しかしながら、特許文献１に記載のロープ検査装置によりロープの破断を検出する際、ロープ検査装置を把持する作業員のほかに、エレベーターのかごの運転操作を行う作業員が必要となる。このため、一人の作業員でロープの検査を行うことができない。
【０００５】
この発明は、上述の課題を解決するためになされた。この発明の目的は、一人の作業員でロープの検査を行うことができるエレベーターのロープ検査装置を提供することである。
【課題を解決するための手段】
【０００６】
この発明に係るエレベーターのロープ検査装置は、エレベーターのかごを支持するロープの一部を案内する案内部と、前記案内部に連結され、前記案内部により案内されているロープを磁化し、当該ロープの漏洩磁束を検出する磁化部と、前記磁化部に連結され、操作された際に前記エレベーターの制御装置に対して前記エレベーターのかごの運転信号を送信する操作部と、を備えた。
【発明の効果】
【０００７】
この発明によれば、操作部が操作されると、かごの運転信号が制御装置に対して送信される。このため、一人の作業員でロープの検査を行うことができる。
【図面の簡単な説明】
【０００８】
【図１】この発明の実施の形態１におけるエレベーターのロープ検査装置が適用されるエレベーターの構成図である。
【図２】この発明の実施の形態１におけるエレベーターのロープ検査装置の斜視図である。
【図３】この発明の実施の形態１におけるエレベーターのロープ検査装置の平面図である。
【図４】この発明の実施の形態１におけるエレベーターのロープ検査装置の側面図である。
【図５】この発明の実施の形態２におけるエレベーターのロープ検査装置の平面図である。
【図６】この発明の実施の形態２におけるエレベーターのロープ検査装置の側面図である。
【図７】この発明の実施の形態３におけるエレベーターのロープ検査装置の平面図である。
【発明を実施するための形態】
【０００９】
この発明を実施するための形態について添付の図面に従って説明する。なお、各図中、同一または相当する部分には同一の符号が付される。当該部分の重複説明は適宜に簡略化ないし省略される。
【００１０】
実施の形態１．
図１はこの発明の実施の形態１におけるエレベーターのロープ検査装置が適用されるエレベーターの構成図である。
【００１１】
図１のエレベーターにおいて、昇降路１は、建築物の各階を貫く。機械室２は、昇降路１の直上に設けられる。複数の乗場３の各々は、建築物の各階に設けられる。複数の乗場３の各々は、昇降路１に対向する。
【００１２】
巻上機４は、機械室２に設けられる。ロープ５は、巻上機４に巻き掛けられる。
【００１３】
かご６は、昇降路１の内部に設けられる。かご６は、ロープ５の一側に支持される。オモリ７は、昇降路１の内部に設けられる。オモリ７は、ロープ５の他側に支持される。
【００１４】
制御装置８は、機械室２に設けられる。
【００１５】
ロープ検査システム９は、ロープ検査装置１０とロープテスタ１１とメモリーハイコーダ１２とを備える。
【００１６】
エレベーターの点検作業時において、作業員は、機械室２においてロープ５の破断を検査する。この際、作業員は、巻上機４とかご６との間のロープ５の一部に対してロープ検査装置１０を接近させる。この状態において、作業員は、ロープ検査装置１０を把持した状態で操作して制御装置８に対してエレベーターのかご６の運転信号を送信する。
【００１７】
制御装置８は、当該運転信号に基づいて巻上機４を回転させる。ロープ５は、巻上機４の回転に応じて移動する。かご６は、ロープ５の移動に応じて昇降する。
【００１８】
ロープ検査装置１０は、ロープ５の移動中において当該ロープ５の漏洩磁束を計測する。ロープテスタ１１は、ロープ５の移動中において当該漏洩磁束の値に基づいてロープ５の破断があるか否かを判定する。メモリーハイコーダ１２は、ロープ５の移動中において漏洩磁束の値に対応した情報を記憶する。
【００１９】
次に、図２を用いて、ロープ検査装置１０を説明する。
図２はこの発明の実施の形態１におけるエレベーターのロープ検査装置の斜視図である。
【００２０】
図２に示されるように、ロープ検査装置１０は、案内部１３と磁化部１４と第１磁束漏洩抑制部１５と第２磁束漏洩抑制部１６と把持部１７と操作部１８と接続部１９とを備える。
【００２１】
案内部１３は、Ｕ字の溝１３ａを備える。溝１３ａは、図２においては図示されないロープ５の一部を長手方向に沿って案内するように設けられる。
【００２２】
磁化部１４は、案内部１３に対して溝１３ａとは反対側に連結される。磁化部１４は、第１磁石１４ａと第２磁石１４ｂとを備える。第１磁石１４ａは、磁化部１４の上部の側に設けられる。第２磁石１４ｂは、磁化部１４の下部の側に設けられる。第１磁石１４ａと第２磁石１４ｂとは、案内部１３により案内されているロープ５を磁化するように設けられる。磁化部１４は、案内部１３により案内されているロープ５の漏洩磁束を検出するように設けられる。
【００２３】
第１磁束漏洩抑制部１５は、案内部１３の一側と磁化部１４の一側との外側に設けられる。第１磁束漏洩抑制部１５は、磁化部１４による磁束が案内部１３に案内されたロープ５の一側に隣接したロープ５の側に漏洩することを抑制するように設けられる。
【００２４】
第２磁束漏洩抑制部１６は、案内部１３の他側と磁化部１４の他側との外側に設けられる。第２磁束漏洩抑制部１６は、磁化部１４による磁束が案内部１３に案内されたロープ５の他側に隣接したロープ５の側に漏洩することを抑制するように設けられる。
【００２５】
把持部１７は、磁化部１４に対して案内部１３とは反対側に設けられる。把持部１７は、棒状に形成される。把持部１７は、長手方向を鉛直方向とする。把持部１７は、作業員が把持し得るように設けられる。
【００２６】
操作部１８は、本体１８ａと波動スイッチ１８ｂと上昇ボタン１８ｃと下降ボタン１８ｄと回路１８ｅとを備える。本体１８ａは、磁化部１４の上部と把持部１７の上部とを連結する。波動スイッチ１８ｂは、本体１８ａの上面に設けられる。上昇ボタン１８ｃは、本体１８ａの上面に設けられる。下降ボタン１８ｄは、本体１８ａの上面に設けられる。回路１８ｅは、本体１８ａの内部に設けられる。
【００２７】
接続部１９は、制御装置８に対して機械的かつ電気的に接続し得るように設けられる。
【００２８】
次に、図３と図４とを用いて、ロープ検査装置１０の操作方法を説明する。
図３はこの発明の実施の形態１におけるエレベーターのロープ検査装置の平面図である。図４はこの発明の実施の形態１におけるエレベーターのロープ検査装置の側面図である。
【００２９】
図３と図４とにおいて、波動スイッチ１８ｂは、一側に倒されている。具体的には、波動スイッチ１８ｂは、「ＲＵＮ」の側に倒されている。この状態において、上昇ボタン１８ｃが押された際、回路１８ｅは、図３と図４とにおいては図示されない接続部１９を介して制御装置８に対して図３においては図示されないかご６が上昇するように運転信号を送信する。これに対し、下降ボタン１８ｄが押された際、回路１８ｅは、接続部１９を介して制御装置８に対してかご６が下降するように運転信号を送信する。
【００３０】
なお、図示されないが、波動スイッチ１８ｂが他側である「ＳＴＯＰ」の側に倒されている状態において、上昇ボタン１８ｃまたは下降ボタン１８ｄが押されても、回路１８ｅは、運転信号を送信しない。
【００３１】
以上で説明した実施の形態１によれば、操作部１８が操作されると、かご６の運転信号が制御装置８に対して送信される。このため、一人の作業員でロープ５の検査を行うことができる。
【００３２】
また、第１磁束漏洩抑制部１５と第２磁束漏洩抑制部１６とは、磁化部１４からの磁束が案内部１３に案内されたロープ５に隣接したロープの側に漏洩することを抑制する。この場合、隣接したロープがロープ検査装置１０に接触しても磁化部１４により得られる漏洩磁束の波形が乱れることはない。このため、ロープ５の検査を正確に行うことができる。
【００３３】
また、回路１８ｅは、波動スイッチ１８ｂが一側に倒されている状態において、上昇ボタン１８ｃが押された際に、制御装置８に対してかご６が上昇するように運転信号を送信する。回路１８ｅは、波動スイッチ１８ｂが一側に倒されている状態において、下降ボタン１８ｄが押された際に、制御装置８に対してかご６が下降するように運転信号を送信する。このため、一人の作業員でロープ５の検査をしつつ、かご６の昇降を制御できる。
【００３４】
実施の形態２．
図５はこの発明の実施の形態２におけるエレベーターのロープ検査装置の平面図である。図６はこの発明の実施の形態２におけるエレベーターのロープ検査装置の側面図である。なお、実施の形態１と同一または相当部分には、同一符号が付される。当該部分の説明は省略される。また、実施の形態２においては、第１磁束漏洩抑制部１５と第２磁束漏洩抑制部１６とは図示されない。
【００３５】
実施の形態２の操作部１８は、実施の形態１の操作部１８と異なる。実施の形態２の操作部１８は、本体１８ａと第１波動スイッチ１８ｆと第２波動スイッチ１８ｇとトリガ１８ｈと回路１８ｅと備える。
【００３６】
本体１８ａは、磁化部１４の上部と把持部１７の上部とを連結する。第１波動スイッチ１８ｆは、本体１８ａの上面に設けられる。第２波動スイッチ１８ｇは、本体１８ａの上面に設けられる。トリガ１８ｈは、本体１８ａの下面に設けられる。回路１８ｅは、本体１８ａの内部に設けられる。
【００３７】
図５と図６とにおいて、第１波動スイッチ１８ｆは、一側に倒されている。具体的には、第１波動スイッチ１８ｆは、「ＲＵＮ」の側に倒されている。第２波動スイッチ１８ｇは、一側に倒されている。具体的には、第２波動スイッチ１８ｇは、「ＵＰ」の側に倒されている。この状態において、作業員がトリガ１８ｈを手前側に引くと、回路１８ｅは、図５と図６とにおいては図示されない接続部１９を介して制御装置８に対して図５と図６とにおいては図示されないかご６が上昇するように運転信号を送信する。これに対し、第１波動スイッチ１８ｆが「ＲＵＮ」の側に倒されており、第２波動スイッチ１８ｇが他側である「ＤＯＷＮ」の側に倒されている状態において、作業員がトリガ１８ｈを手前側に引くと、回路１８ｅは、接続部１９を介して制御装置８に対してかご６が下降するように運転信号を送信する。
【００３８】
なお、図示されないが、第１波動スイッチ１８ｆが他側である「ＳＴＯＰ」の側に倒されている状態において、作業員がトリガ１８ｈを手前側に引いても、回路１８ｅは、運転信号を送信しない。
【００３９】
以上で説明した実施の形態２によれば、回路１８ｅは、第１波動スイッチ１８ｆが一側に倒されており、第２波動スイッチ１８ｇが一側に倒されている状態において、トリガ１８ｈが手前側に引かれた際に、制御装置８に対してかご６が上昇するように運転信号を送信する。回路１８ｅは、第１波動スイッチ１８ｆが一側に倒されており、第２波動スイッチ１８ｇが他側に倒されている状態において、トリガ１８ｈが手前側に引かれた際に、制御装置８に対してかご６が下降するように運転信号を送信する。このため、実施の形態１に比べ、一人の作業員でかご６の昇降を容易に制御できる。
【００４０】
実施の形態３．
図７はこの発明の実施の形態３におけるエレベーターのロープ検査装置の平面図である。なお、実施の形態１と同一または相当部分には、同一符号が付される。当該部分の説明は省略される。また、実施の形態３においては、第１磁束漏洩抑制部１５と第２磁束漏洩抑制部１６とは図示されない。
【００４１】
実施の形態３の案内部１３は、実施の形態１の案内部１３と異なる。実施の形態３の案内部１３は、実施の形態２の案内部１３と異なる。
【００４２】
案内部１３は、複数のＵ字状の溝１３ａを備える。複数の溝１３ａは、複数のロープ５の一部をそれぞれ案内するように設けられる。
【００４３】
磁化部１４は、案内部１３により案内されている複数のロープ５をそれぞれ磁化するように設けられる。磁化部１４は、当該複数のロープ５のそれぞれの漏洩磁束を検出するように設けられる。
【００４４】
以上で説明した実施の形態３によれば、磁化部１４は、当該複数のロープ５のそれぞれの漏洩磁束を検出する。このため、複数のロープ５の検査を一度に行うことができる。
【００４５】
この際、複数のロープ５のかご６の取り付け位置に応じて、溝１３ａの深さを設定すればよい。この場合、複数のロープ５の検査を正確に行うことができる。
【００４６】
なお、実施の形態１から実施の形態３において、磁化部１４に対して案内部１３を着脱自在に設ければよい。この場合、ロープ５の種類に応じて複数の案内部１３を用意すれば、様々なロープ５を容易に検査することができる。
【００４７】
なお、実施の形態１から実施の形態３のロープ検査装置１０を機械室２の床面に固定してもよい。この場合、作業員がロープ検査装置１０を把持していなくても、ロープ５を検査することができる。
【符号の説明】
【００４８】
１  昇降路、  ２  機械室、  ３  乗場、  ４  巻上機、  ５  ロープ、  ６  かご、  ７  オモリ、  ８  制御装置、  ９  ロープ検査システム、  １０  ロープ検査装置、  １１  ロープテスタ、  １２  メモリーハイコーダ、  １３  案内部、  １３ａ  溝、  １４  磁化部、  １４ａ  第１磁石、  １４ｂ  第２磁石、  １５  第１磁束漏洩抑制部、  １６  第２磁束漏洩抑制部、  １７  把持部、  １８  操作部、  １８ａ  本体、  １８ｂ  波動スイッチ、  １８ｃ  上昇ボタン、  １８ｄ  下降ボタン、  １８ｅ  回路、１８ｆ  第１波動スイッチ、  １８ｇ  第２波動スイッチ、  １８ｈ  トリガ、  １９  接続部
【図１】
2019001568.tif 000003
【図２】
2019001568.tif 000004
【図３】
2019001568.tif 000005
【図４】
2019001568.tif 000006
【図５】
2019001568.tif 000007
【図６】
2019001568.tif 000008
【図７】
2019001568.tif 000009